(57)【要約】【課題】高い放熱性能を発揮する放熱フィンを備えた冷却性能が高い照明器具を提供する。【解決手段】照明器具において、面状光源３と、この面状光源３が取り付ける取付面１ｅを前端側に有するヒートシンク１ｂと、ヒートシンク１ｂの外周を環状空間を隔てて覆う円筒状の外壁１ａと、ヒートシンク１ｂと外壁１ａとの間に設けられて環状空間を周方向に区画して前後方向に延びる複数の流路Ａ２を形成する複数の放熱フィン１ｃとを有するアウターガード１と、円筒状に形成されて前端側にフランジ部４ｂを有し、後端側が取付面４ｅに固定され、内側にリフレクター５が収納されるインナーボディー４とを備え、外壁１ａ及び放熱フィン１ｃは、前端１ｆ側がフランジ部４ｂ近傍まで延長されて、フランジ部４ｂとの間に環状の空気流入口Ａ１を形成している。【選択図】図６
2015111535.tif 000002
【特許請求の範囲】
【請求項１】
光源と、
前記光源が取り付けられる取付面を前端側に有するヒートシンクと、前記ヒートシンクの外周を環状空間を隔てて覆う円筒状の外壁と、前記ヒートシンクと前記外壁との間に設けられて前記環状空間を周方向に区画して前後方向に延びる複数の流路を形成する複数の放熱フィンとを有するアウターガードと、
円筒状に形成されて前端側にフランジ部を有し、後端側が前記取付面に固定され、内側にフレクターが収納されるインナーボディーと、を備え、
前記外壁及び前記放熱フィンは、前端側が前記フランジ部近傍まで延長されて、前記フランジ部との間に環状の空気流入口を形成している、
ことを特徴とする照明器具。
【請求項２】
前記アウターガードは、前記ヒートシンク、前記外壁、及び前記放熱フィンが一体成形されている、
ことを特徴とする請求項１に記載の照明器具。
【請求項３】
前記インナーボディーは、内側が止水部材により密閉されるとともに、後端側に内圧調整機構が配設され、
前記内圧調整機構は、
前記インナーボディーの内側と前記流路とを連通する連通孔と、
前記連通孔を覆う内圧調整膜と、を有する、
ことを特徴とする請求項１又は２に記載の照明器具。
【請求項４】
前記インナーボディーの外周面と前記放熱フィンとの間には間隙が設けられている、
ことを特徴とする請求項１ないし３のいずれか１項に記載の照明器具。
【請求項５】
前記外壁は、外周面の直径が、前記フランジ部の外径と同じ又はこれよりも小さくなるように形成されている、
ことを特徴とする請求項１ないし４のいずれか１項に記載の照明器具。
【発明の詳細な説明】
【技術分野】
【０００１】
本発明は、放熱フィンを有するスポットライト，ダウンライト等の照明器具に関する。
【背景技術】
【０００２】
スポットライト，ダウンライト等の照明器具において、放熱フィンを有するものが知られている（例えば、特許文献１参照）。
この照明器具では、その全長のほほ半分の長さにわたって、放熱フィンが設けられている。
【０００３】
ところで、一般に、放熱フィンは、放熱という観点に限れば、その表面積が大きい方が好ましいとされているが、これに伴って、照明器具の大きさが大きくなり、また、重量も増加するという欠点もある。
【先行技術文献】
【特許文献】
【０００４】
【特許文献１】特開２０１２−２２８１７号公報
【発明の概要】
【発明が解決しようとする課題】
【０００５】
放熱フィンの形状、大きさ、数等は、その照明器具の使用環境によって大きく左右される。例えば、屋内の天井等に設置される照明器具にあっては、軽量化が優先されて、冷却性能は、ある程度犠牲になる場合がある。この場合、放熱フィンは小さくなる。一方、屋外に設置される照明器具では、照明器具に人が不用意に触れてしまうという点も考慮する必要があって、重量よりも冷却性能が優先されるため、放熱フィンは、大きくなる。さらに、照明器具を屋外で使用する場合には、高い防水性能を確保する必要があるため、防水性能との関係で、フィンの形状や大きさが制約される場合もある。
【０００６】
本発明は、上述した事情に鑑みてなされたものであり、例えば、発熱量がさらに大きい光源に交換したり、高い防水性能が要求されたりといった厳しい使用環境下であっても、高い放熱性能を発揮する放熱フィンを備えた冷却性能が高い照明器具を提供することを目的とする。
【課題を解決するための手段】
【０００７】
請求項１に係る発明は、照明器具において、光源と、前記光源が取り付けられる取付面を前端側に有するヒートシンクと、前記ヒートシンクの外周を環状空間を隔てて覆う円筒状の外壁と、前記ヒートシンクと前記外壁との間に設けられて前記環状空間を周方向に区画して前後方向に延びる複数の流路を形成する複数の放熱フィンとを有するアウターガードと、円筒状に形成されて前端側にフランジ部を有し、後端側が前記取付面に固定され、内側にフレクターが収納されるインナーボディーと、を備え、前記外壁及び前記放熱フィンは、前端側が前記フランジ部近傍まで延長されて、前記フランジ部との間に環状の空気流入口を形成している、ことを特徴とする。
【０００８】
請求項２に係る発明は、請求項１に係る照明器具において、前記アウターガードは、前記ヒートシンク、前記外壁、及び前記放熱フィンが一体成形されている、ことを特徴とする。
【０００９】
請求項３に係る発明は、請求項１又は２に係る照明器具において、前記インナーボディーは、内側が止水部材により密閉されるとともに、後端側に内圧調整機構が配設され、前記内圧調整機構は、前記インナーボディーの内側と前記流路とを連通する連通孔と、前記連通孔を覆う内圧調整膜と、を有する、ことを特徴とする。
【００１０】
請求項４に係る発明は、請求項１ないし３のいずれか１項に係る照明器具において、前記インナーボディーの外周面と前記放熱フィンとの間には間隙が設けられている、ことを特徴とする。
【００１１】
請求項５に係る発明は、請求項１ないし４のいずれか１項に係る照明器具において、前記外壁は、外周面の直径が、前記フランジ部の外径と同じ又はこれよりも小さくなるように形成されている、ことを特徴とする。
【発明の効果】
【００１２】
請求項１の発明によれば、ヒートシンク及びインナーボディーの外周に、照明器具の前後方向のほぼ全長にわたって前後方向にほぼ真っ直ぐに延びる空気の流路を構成することができ、ここを比較的速い速度で通過する空気によって、ヒートシンク及びインナーボディーを直接、冷却することができる。このため高い冷却性能を発揮することができる。
【００１３】
請求項２の発明によれば、ヒートシンク、外壁、及び放熱フィンが一体成形されているので、これらが複数の部材で構成されている場合と比較し、部品点数を減らして構成を簡略化することができる上、複数の部品の境界で、熱伝導が低下することがないので、その分、熱伝導に基づく冷却性能を高めることができる。
【００１４】
請求項３の発明によれば、光源の発熱により上昇したインナーボディーの内側の圧力を内圧調整機構で流路に直接、逃がすことができるので、内圧の低減ばかりでなく、放熱も促進することができる。また、内圧調整膜として、防水・防塵機能を有するものを使用すれば、水や塵埃が流路からインナーボディーの内側に浸入するのを防止することができる。
【００１５】
請求項４の発明によれば、インナーボディーの外周面と放熱フィンとの間には間隙が設けられているため、インナーボディーからの熱は、直接、熱伝導によって放熱フィンに伝達されることがないので、外壁のうちの、インナーボディーに対応する部分の昇温を比較的抑制することができる。なお、この部分は、人によって不用意に触れられやすい部分である。
請求項５の発明によれば、高い冷却性能は維持したまま、照明器具全体を比較的、小型化することができる。
【図面の簡単な説明】
【００１６】
【図１】前側から見た照明器具１００の分解斜視図である。
【図２】照明器具１００の正面図である。
【図３】図２中のＡ−Ａ線矢視図である。
【図４】内圧調整膜４ｅ近傍の拡大図である。
【図５】図４中のＢ−Ｂ線矢視拡大図である。
【図６】熱伝導による照明器具本体Ｂｏの熱の移動を説明する図であり、（Ａ）は背面図、（Ｂ）は図３に相当する図である。
【図７】熱放射による照明器具本体Ｂｏの熱の移動を説明する図であり、図３に相当する図である。
【図８】対流熱伝達による照明器具本体Ｂｏの熱の移動を説明する図であり、（Ａ）は図３に相当する図であり、（Ｂ）は（Ａ）の上下を逆にした図である。
【発明を実施するための形態】
【００１７】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００１８】
まず、図１〜図３を参照して本発明を適用した実施形態に係る照明器具１００の概略構成を説明し、つづいて、図４〜図８を参照して照明器具１００を冷却するための構造、作用、及び効果について説明する。
【００１９】
なお、以下では、説明の便宜上、図１中の左側、右側がそれぞれ照明器具１００の前側、後側に対応し、また、図１中の上側、下側がそれぞれ照明器具１００の上側、下側に対応するものとして説明する。
【００２０】
ここで、図１は、前側から見た照明器具１００の分解斜視図である。また、図２は、照明器具１００の正面図である。そして、図３は、図２中のＡ−Ａ線矢視図である。
【００２１】
以下の説明では、照明器具１００が、屋外に設置されるスポットライトである場合を例に説明する。このため、屋内用のスポットライトと比較して、後述するＯリング（止水部材）Ｒ１〜Ｒ６等により防水性が向上され、さらに、後述するアーム１３等により、照明器具本体Ｂｏの回転（ターン）及び首振り（チルト）が可能となっている。
【００２２】
照明器具１００は、図１に示すように、照明器具本体Ｂｏとこの照明器具本体Ｂｏを所定の位置に取り付けるための取付具Ｍｏとから構成されている。照明器具本体Ｂｏは、軸心Ｃ１に沿って後側からほぼ順に、アウターガード１、ソケット２、面状光源（光源）３、インナーボディー４、リフレクター５、フィルターＦ１，Ｆ２（区別する必要がない場合には、単にフィルターＦという。）、フィルターホルダー６、ガラスホルダー（保持部材）７、プロテクトガラス８、及びフード９を備えている。一方、取付具Ｍｏは、下側からほぼ順に、ベース１０、アーム１３（下アーム１１、上アーム１２）、チルトホルダー１４、及びパンホルダー１５を備えている。さらに、照明器具１００は、防水や止水のためのＯリングＲ１〜Ｒ６、及び上述の各部材を締結（固定）するための多数のビスを備えている。
【００２３】
上述の照明器具本体Ｂｏ（アウターガード１〜フード９）のうち、アウターガード１は、図１，図３に示すように、円筒状の外壁１ａと、外壁１ａの後端側内側に配置されたヒートシンク１ｂと、多数の放熱フィン１ｃとを有している。放熱フィン１ｃは、外壁１ａとヒートシンク１ｂとの間に放射状に多数設けられている。さらに、放熱フィン１ｃは、後側から見た背面視の形状が湾曲形状に形成されるとともに、外壁１ａの前端まで延設されていて、放熱効果を高めるべく表面積の増大が図られている。外壁１ａにおける前後方向の中心よりも前寄りの下側には、後述する上アーム１２の上端が貫通する透孔１ｄが穿設されている。アウターガード１全体は、例えば、アルミニウムのダイキャストで形成されていて、後述の面状光源３で発生した熱を、速やかにヒートシンクに移動させ、さらに、放熱フィン１ｃ及び外壁１ａから放熱するようになっている。
【００２４】
面状光源３は、例えば、多数のＬＥＤ素子を有するＣＯＢ（チップ・オン・ボード）タイプのＬＥＤの表面を、蛍光体を含む樹脂で覆って形成されたものを使用することができる。面状光源３は、例えば、円形に形成されていて、ソケット２により、上述のヒートシンク１ｂの取付面（前端面）１ｅに固定されている。面状光源３は、前方に向かってほぼ１２０度の照射角で光を発生させる。なお、光源としては、上述の面状光源３に限らず、他の面状光源や、ハロゲンランプ，ＨＩＤ（高輝度放電ランプ）等のいわゆる点状光源を使用してもよい。
【００２５】
インナーボディー４は、筒状部４ａと、この筒状部４ａの前端側に設けられたフランジ部４ｂと、筒状部４ａの下端に突設された取付部４ｃとを有している。筒状部４ａの後端側上部には、筒状部４ａの内側と外側とを貫通する透孔（不図示）が穿設されている。この透孔は、シートカバー４ｄで固定された内圧調整膜４ｅで覆われている。内圧調整膜４ｅは、面状光源３の発熱に伴って上昇した内圧を透孔から外部に逃がすとともに、外部からの水や塵埃の浸入を防止するものである。インナーボディー４は、筒状部４ａの後端がＯリング（止水部材）Ｒ１を介してヒートシンク１ｂの取付面１ｅに固定され、また、取付部４ｃには上アーム１２の上端が、回動可能に取り付けられている。インナーボディー４は、その内側に、次に説明するリフレクター５が収納されている。
【００２６】
リフレクター５は、その内面が放物曲面状に形成された反射面５ａとなっている。リフレクター５の後端は面状光源３を配設するためにカットされ、また、前端は、外側に屈曲されてフランジ部５ｂを構成している。リフレクター５は、そのフランジ部５ｂがインナーボディー４のフランジ部４ｂに前側から固定され、放物曲面状の反射面５ａの焦点が面状光源３の中心に合わされている。これにより、面状光源３から出た光は、反射面５ａで反射されて、軸心Ｃ１に対してほぼ平行となって前面開口部５ｃから出て行くようになっている。
【００２７】
フィルターホルダー６は、円筒部６ａとその後端に形成されたフランジ部６ｂとを有している。円筒部６ａの内周面には、２つの環状凹部が形成されていて、これら環状凹部により、光を演出する円板状のフィルターＦ１，Ｆ２を保持している。フィルターＦとしては、光の演出が異なる別のフィルターＦを装着することも可能である。フィルターホルダー６は、シリコーンゴム等の弾性部材によって形成されていて、フランジ部６ｂがリフレクター５と次に説明するガラスホルダー７とによって挟持されている。
【００２８】
ガラスホルダー７は、筒状部７ａとその後端に形成されたフランジ部７ｂとを有している。ガラスホルダー７は、その筒状部７ａの内側に、フィルターホルダー６の円筒部６ａが挿入された状態で、筒状部７ａの後端がリフレクター５のフランジ部５ｂとの間で、フィルターホルダー６のフランジ部６ｂを挟持している。
【００２９】
フード９は、筒状部９ａとその前端から内側に延びる円環部９ｂとを有している。フード９は、円環部９ｂの後端面がＯリング（止水部材）Ｒ３を介してプロテクトガラス８をガラスホルダー７のフランジ部７ｂに押圧し、また、筒状部９ａがＯリング（止水部材）Ｒ２を介してインナーボディー４のフランジ部４ｂに嵌合された状態で、インナーボディー４のフランジ部４ｂの前側に、六角穴付きのビスＢ４によって固定されている。
【００３０】
上述の取付具Ｍｏ（ベース１０〜パンホルダー１５）のうち、ベース１０は、容器状の下ベース１０ａと蓋状の上ベース１０ｂとを組み合わせて構成されていて、上ベース１０ｂの上面には、台座１０ｃが設けられている。
【００３１】
下アーム１１は、上端に下チルト部１１ａを有しており、下端がＯリング（止水部材）Ｒ４を介して上ベース１０ｂの台座１０ｃに固定されることにより、ベース１０に立設されている。
【００３２】
上アーム１２は、下端に上チルト部１２ａを有している。この上チルト部１２ａは、Ｏリング（止水部材）Ｒ５を介して下アーム１１の下チルト部１１ａに回動可能に係合されるとともに、六角穴付きのビスＢ１によって固定されている。これにより、ビスＢ１を緩めることにより、上アーム１２は、下アーム１１に対して上下方向に傾斜（チルト）することが可能となり、ビスＢ１を締め付けることにより、そのときの傾斜角を維持した状態で固定される。
【００３３】
チルトホルダー１４は、下アーム１１の下チルト部１１ａの右端面に、ストッパとして配設されている。チルトホルダー１４は、下チルト部１１ａによって回動可能に支持されるとともに、一部が上アーム１２に固定されている。また、チルトホルダー１４と下チルト部１１ａの右端面との間には間隙が設けられている。ビスＢ１を緩めて行くと、下チルト部１１ａは、上チルト部１２ａに対して間隙に相当する距離だけ移動してチルトホルダー１４に当接し、それ以上の移動が禁止される。さらに、このときの下チルト部１１ａの移動範囲内では、ＯリングＲ５による止水性能は低下しないようになっている。つまり、ビスＢ１を緩めてチルト角を調整する際にも、確実に止水を行うことができる。また、このチルトホルダー１４には、目盛りが付されていて、下アーム１１に対する上アーム１２のチルト角を確認することができるようになっている。
【００３４】
上アーム１２の上下方向のほぼ中央には、外周面を４等分する位置のそれぞれにセットビスＢ２が、頭部を突出させた状態で螺合されている。また、上アーム１２の上端は、外周面にＯリング（止水部材）Ｒ６が装着された状態で、上述のアウターガード１の外壁１ａの透孔１ｄを貫通してインナーボディー４の取付部４ｃに挿入されている。このとき、取付部４ｃの下端がセットビスＢ２の頭部に当接している。すなわち、インナーボディー４は、上アーム１２のセットビスＢ２に乗っかった状態で、回動可能となっている。さらに、取付部４ｃには、抜け止めビスＢ３が螺合されていて、その先端部を上アーム１２の上端部に係合させている。
【００３５】
パンホルダー１５は、インナーボディー４の取付部４ｃに下方から六角穴付きのビスＢ５によって固定されている。パンホルダー１５は、取付部４ｃの下端との間に、上述の４本のセットビスＢ２の頭部を挟み込んで、上アーム１２に対するインナーボディー４の上下方向の位置を規制するとともに、インナーボディー４の回動を可能にしている。パンホルダー１５は、さらに、４本のセットビスＢ２及び抜け止めビスＢ３を覆って、これらが不要に操作されないようにしている。
【００３６】
上述の照明器具１００において、面状光源３から出た光は、インナーボディー４に収納されたリフレクター５の反射面５ａで反射され、フィルターＦ１，Ｆ２、及びプロテクトガラス８を透過して、外部に出て行く。このとき面状光源３で発生した熱は、アウターガード１等を介して放出される。また、下アーム１１に対して上アーム１２が揺動可能（チルト可能）に取り付けられ、さらに、上アーム１２に対してインナーボディー４が回動可能（ターン可能）に取り付けられている。つまり、照明器具本体Ｂｏは、取付具Ｍｏに対して、チルト可能かつターン可能となっている。さらに、上述のように隣接する各部材間に、多数のＯリングＲ１〜Ｒ６を介装することにより、防水性・止水性を向上させている。
【００３７】
つづいて、図４〜図８を参照して照明器具１００を冷却するための構造、作用、及び効果について説明する。ここで、図４は、内圧調整膜４ｅ近傍の拡大図である。また、図５は、図４中のＢ−Ｂ線矢視拡大図である。また、図６は、熱伝導による照明器具本体Ｂｏの熱の移動を説明する図であり、（Ａ）は背面図、（Ｂ）は図３に相当する図である。また、図７は、熱放射による照明器具本体Ｂｏの熱の移動を説明する図であり、図３に相当する図である。また、図８は、対流熱伝達による照明器具本体Ｂｏの熱の移動を説明する図であり、（Ａ）は図３に相当する図であり、（Ｂ）は（Ａ）の上下を逆にした図である。
【００３８】
上述の照明器具１００のうち、冷却に比較的大きくかかわる部材は、図６（Ｂ）に示す照明器具本体Ｂｏのアウターガード１、面状光源３、インナーボディー４、及びリフレクター５である。
【００３９】
このうちアウターガード１は、ヒートシンク１ｂと、外壁（外周壁）１ａと、複数（多数）の放熱フィン１ｃとを有しており、これらは、例えばアルミニウムのダイキャストによって一体成形されている。ヒートシンク１ｂは、外周面がなだらかな円錐形状と、外周面が急峻な円錐形状と合成した形状に形成されている。これにより、外周面の面積を増加させて、熱放射により熱の移動を促進している。ヒートシンク１ｂの前端面は平坦に形成されていて取付面１ｅとなっている。この取付面１ｅには、上述のソケット２により、面状光源３が直接、接触した状態で取り付けられている。
【００４０】
外壁１ａは、ヒートシンクの外周を環状の空間を隔てて覆う円筒状に形成されている。外壁１ａの後端は、上述のヒートシンク１ｂの後端よりも少し後側に配置されていて、ヒートシンク１ｂの尖った後端が、外壁１ａの後端から突出しないようになっている。外壁１ａの前端は、インナーボディー４の前端のフランジ部４ｂの近傍まで延設されていて、このフランジ部４ｂとの間に、環状の空気流入口Ａ１が形成されている。空気流入口Ａ１は、外壁１ａの前端とインナーボディー４のフランジ部との間、つまり２つの部材の間に形成されているので、例えば、外壁１ａに特に穿設して設けたりして形成する必要がない。これにより、外壁１ａ等に設ける際に発生する、加工工数をなくすことができる。なお、この空気流入口Ａ１は、図８（Ｂ）に示すように、照明器具本体Ｂｏが上下逆に配置された場合には、空気流出口となる。なお、外壁１ａの直径は、インナーボディー４のフランジ部４ｂの外径と同じ又はこれよりも小さくなるように形成されている。
【００４１】
放熱フィン１ｃは、ヒートシンク１ｂの外周面と外壁１ａとの間に設けられて環状の空間を周方向に区画して前後方向に延びる複数の空気の流路Ａ２を形成している。放熱フィン１ｃは、ヒートシンク１ｂに対して周方向に向けて、配設されており、さらに、表面積を増加させるために、後面側から見た形状が湾曲形状となっている。放熱フィン１ｃについては、後に再度説明する。
【００４２】
インナーボディー４は、円筒状に形成されて前端側には、外側に延びるフランジ部４ｂが形成されている。フランジ部４ｂは、後端がＯリングＲ１を介して、上述のヒートシンク１ｂの前面の取付面１ｅに固定されている。インナーボディー４は、その内側に、リフレクター５が収納されている。インナーボディー４のフランジ部４ｂには、ＯリングＲ２を介して、フード９が固定されている。
【００４３】
上述の放熱フィン１ｃは、ヒートシンク１ｂの外周面と外壁１ａとの間だけでなく、さらに前方に向けて、インナーボディー４のフランジ部４ｂ近傍まで延長されている。つまり、外壁１ａの前端１ｆと同じ位置まで延長されている。なお、放熱フィン１ｃのうち、インナーボディー４の筒状部４ａに対応する部分を放熱フィン（１ｃ）とすると、図６（Ｂ）中においては、この放熱フィン（１ｃ）は、上述のヒートシンク１ｂの取付面１ｅと同じ高さに引かれた横線Ｌから下の部分となる。なお、この横線Ｌは、アウターガード１をダイキャストで一体成形する際に付いた製造上のものであり、実際には、放熱フィン１ｃは、放熱フィン（１ｃ）を含んで一体的に形成されている。
【００４４】
放熱フィン１ｃのうち、外端縁（外側の端縁）は、その前後方向の全長にわたって外壁１ａの内周面に接続されている。言い換えると、外壁１ａとヒートシンク１ｂと放熱フィン１ｃとが一体成形されているために、放熱フィン１ｃの外縁端は、全長にわたって外壁１ａの内周面にくっついているといえる。一方、放熱フィン１ｃの内端縁（内側の端縁）については、放熱フィン１ｃの全体のうち、放熱フィン（１ｃ）を除く後側の部分は、その内端縁１ｇがヒートシンク１ｂの外周面に接続されて（くっついて）いる。これに対し、放熱フィン（１ｃ）の内端縁１ｈは、インナーボディー４の筒状部４ａの外周面との間に、間隙Ｄが設けられている。下のように間隙Ｄを設けることにより、面状光源３で発生し、ヒートシンク１ｂを介してインナーボディー４の筒状部４ａに熱伝導によって伝達された熱は、放熱フィン（１ｃ）に直接、熱伝導されることがない。このため、外壁１ａのうちの、放熱フィン（１ｃ）に対応する部分は、間隙Ｄがない場合と比較して、昇温が抑制される。この部分は、取付具Ｍｏに対して照明器具本体Ｂｏの角度調整を行う際に、一般にユーザによって握られる（触られる）部分である。
【００４５】
本実施形態では、空気の流路Ａ２を前後方向に長く形成することができる。ヒートシンク１ｂ及びインナーボディー４の筒状部４ａと、外壁１ａと、相互に隣接する２枚の放熱フィン１ｃとの間には、ヒートシンク１ｂ及び筒状部４ａを外側から包むように、多数の空気の流路Ａ２が形成される。この流路Ａ２は、前後方向に真っ直ぐに延びるとともに、前後方向の長さは、照明器具本体Ｂｏの前後方向の全長に近い長さとなる。このため、冷却性能を高めることができる。
【００４６】
本実施形態の照明器具本体Ｂｏは、インナーボディー４の内側が、ＯリングＲ１〜Ｒ３等によって密閉されている。このため、面状光源３の発熱によってインナーボディー４の内側が昇圧する。
【００４７】
そこで、本実形態では、圧力を低減するために、内圧調整機構Ｐｒを設けている。内圧調整機構Ｐｒは、図１に示すインナーボディー４の筒状部４ａの上部の後端側に設けられている。図４，図５に示すように、内圧調整機構Ｐｒは、インナーボディー４の筒状部４ａの内側と流路Ａ２とを連通する連通孔４ｆと、筒状部４ａから額縁状に突設された凸部４ｇと、その内側に連通孔４ｆを覆うように配設された内圧調整膜４ｅと、これを抑えて固定するシートカバー４ｄとを備えている。内圧調整膜４ｅは、インナーボディー４の内側の圧力ａを流路Ａ２に逃がすことができる。なお、内圧調整膜４ｅとして防水・防塵機能を有するものを使用すれば、水・塵埃Ｗ等が流路Ａ２から連通孔４ｆを通って、インナーボディー４の内側に浸入するのを防止することができる。
【００４８】
内圧調整機構Ｐｒは、インナーボディー４の内側の圧力ａを流路Ａ２に逃がすとともに、インナーボディー４の内側の熱を流路Ａ２に排出する。ここで、流路Ａ２は、
【００４９】
２を介して外部に放出する。この際、圧力調整機構４ｅが熱を排出する流路Ａ２には、空気が流れていて動圧が高く、その分、静圧が低いので、内圧調整機構Ｐｒが外部に露出された状態で配設されている場合と比較し、インナーボディー４内の熱を速やかに排出することが可能となる。
【００５０】
さらに、内圧調整機構Ｐｒは、外壁１ａに覆われており、さらに、前後方向の配設位置については、外壁１ａの前後方向の全長に対して、ほぼ中央に配設されている。このため、雨水等が内圧調整機構Ｐｒを介してインナーボディー４に浸入しにくくすることができる。
【００５１】
図６〜図８を参照して、面状光源３で発生した熱の移動を説明する。ここで、上述のように、図６は、熱伝導による熱の移動、また、図７は、熱放射による熱の移動、そして、図８は、対流熱伝達による熱の移動を説明する図である。なお、これらの図における流路（Ａ２）は、流路Ａ２のうちの、放熱フィン（１ｃ）に対応する部分を示している。
【００５２】
図６中に太い矢印で示すように、面状光源３で発生した熱は、速やかにヒートシンク１ｂに熱伝導する。さらに、ヒートシンク１ｂの熱は、インナーボディー４の筒状部４ａに、また、放熱フィン１ｃを介して外壁１ａに熱伝導される。
また、図７に示すように、各部材に熱伝導された熱は、各部から太い矢印で示すように、熱放射される。
【００５３】
また、図８（Ａ）に太い矢印で示すように、対流熱伝達される。なお、（Ｂ）に示すように、照明器具本体Ｂｏを（Ａ）に示す状態から上下逆さにすると、図示のように対流熱伝達される。図８（Ａ），（Ｂ）に示すように、流路Ａ２は、照明器具本体Ｂｏのほぼ全長にわたって、ほぼ真っ直ぐに形成されているので、照明器具本体Ｂｏの傾斜角度にかかわらず、例えば、（Ａ），（Ｂ）に示すように、上下を逆にした場合でも、同様に、効率よく全体を冷却することが可能となる。
ここで、以上説明した照明器具１００の作用・効果を整理する。
【００５４】
照明器具１００は、ヒートシンク１ｂ及びインナーボディー４の外周に、前後方向のほぼ全長にわたって前後方向にほぼ真っ直ぐに延びる空気の流路Ａ２を構成することができ、ここを比較的速い速度で通過する空気によって、ヒートシンク１ｂ、放熱フィン１ｃ、外壁１ｂ、及びインナーボディー４を直接、冷却することができる。このため高い冷却性能を発揮することができる。
【００５５】
また、照明器具１００は、ヒートシンク１ｂ、外壁１ａ、及び放熱フィン１ｃが一体成形されているので、これらが複数の部材で構成されている場合と比較し、部品点数を減らして構成を簡略化することができる上、複数の部品の境界で、熱伝導が低下することがないので、その分、熱伝導に基づく冷却性能を高めることができる。
【００５６】
また、照明器具１００は、インナーボディー４の筒状部４ａの外周面と放熱フィン１ｃの内端縁１ｈとの間に間隙Ｄを設けているので、インナーボディー４からの熱は、直接、熱伝導によって放熱フィン（１ｃ）に伝達されることがないので、外壁１ａのうちの、インナーボディー４に対応する部分の昇温を比較的抑制することができる。なお、この部分は、人によって不用意に触れられやすい部分である。
【００５７】
また、照明器具１００は、外壁１ａの直径が、インナーボディー４のフランジ部４ｂの外径と同じ又はこれよりも小さくなるように形成されているため、高い冷却性能は維持したまま、照明器具１００全体を比較的、小型化することができる。
【００５８】
また、空気流入口Ａ１は、外壁１ａの前端とインナーボディー４のフランジ部との間、つまり２つの部材の間に形成されているので、例えば、外壁１ａ等に別途に、設ける必要がなく、その分、外壁１ａ等の加工工数を低減することができる。
【符号の説明】
【００５９】
１      アウターガード
１ａ    外壁
１ｂ    ヒートシンク
１ｃ、（１ｃ）  放熱フィン
１ｅ    取付面
１ｆ    前端
３      面状光源（光源）
４      インナーボディー
４ａ    フランジ部
４ｅ    内圧調整膜
４ｆ    連通孔
５      リフレクター
Ａ１    空気流入口
Ａ２    流路
Ｄ      間隙
Ｐｒ    内圧調整機構
Ｒ１〜Ｒ３  Ｏリング（止水部材）
【図１】
2015111535.tif 000003
【図２】
2015111535.tif 000004
【図３】
2015111535.tif 000005
【図４】
2015111535.tif 000006
【図５】
2015111535.tif 000007
【図６】
2015111535.tif 000008
【図７】
2015111535.tif 000009
【図８】
2015111535.tif 000010